(57)【特許請求の範囲】
【請求項１】
本体と、前記本体と一体的に成形されたリブと、を備え、前記リブは、前記本体の樹脂の流動方向に沿った方向に設けられたリブＡと、前記流動方向にみて前記リブＡの上流側に、前記流動方向と交わる方向に設けられたリブＢと、を含み、前記リブＡは前記リブＢと離れて位置し、前記リブＡと前記リブＢとの距離が３０ｍｍ以下である、樹脂成形品。
【請求項２】
前記リブＡの長さが１００ｍｍ以下である、請求項１に記載の樹脂成形品。
【請求項３】
前記リブＡの幅が０．５ｍｍ〜２ｍｍである、請求項１又は請求項２に記載の樹脂成形品。
【請求項４】
少なくとも一部が発泡した樹脂で形成されている、請求項１〜請求項３のいずれか１項に記載の樹脂成形品。
【請求項５】
自動車の内外装部品である、請求項１〜請求項４のいずれか１項に記載の樹脂成形品。
【請求項６】
内壁に溝が設けられた金型に樹脂を供給する工程を備え、前記溝は、前記金型に供給される樹脂の流動方向に沿った方向に設けられた溝Ａと、前記流動方向にみて前記溝Ａの上流側に、前記流動方向と交わる方向に設けられた溝Ｂと、を含み、前記溝Ａは前記溝Ｂと離れて位置し、前記溝Ａと前記溝Ｂとの距離が３０ｍｍ以下である、樹脂成形品の製造方法。
【請求項７】
前記溝Ａの長さが１００ｍｍ以下である、請求項６に記載の樹脂成形品の製造方法。
【請求項８】
前記溝Ａの幅が０．５ｍｍ〜２ｍｍである、請求項６又は請求項７に記載の樹脂成形品の製造方法。
【請求項９】
射出成形法により行われる、請求項６〜請求項８のいずれか１項に記載の樹脂成形品の製造方法。
【請求項１０】
前記樹脂成形品は自動車の内外装部品である、請求項６〜請求項９のいずれか１項に記載の樹脂成形品の製造方法。
【発明の詳細な説明】
【技術分野】
【０００１】
本発明は、樹脂成形品及び樹脂成形品の製造方法に関する。
【背景技術】
【０００２】
近年、自動車の軽量化を目的として、内外装用の部品において金属部材から樹脂成形品への置き換えが進んでいる。これらの樹脂成形品は、車体又は車体関連部材への取付け、強度の確保等を目的として、リブと呼ばれる突起が外側から見えない場所に設けられている。【０００３】
リブを備える樹脂成形品としては、射出成形により本体と一体的にリブを形成したものが知られている（例えば、特開２０１２−１８８０１０号公報参照）。このような樹脂成形品は、樹脂成形品のリブが設けられる位置にリブの形状に相当する溝が設けられた金型に樹脂を注入することで製造される。
【発明の概要】
【発明が解決しようとする課題】
【０００４】
近年、軽量化の観点から樹脂成形品の薄型化が進んでいる。これに伴い、裏側にリブが設けられている樹脂成形品を外側から観察したとき、リブに相当する箇所が周囲と異なって観察され、外観が損なわれるという問題が生じている。その理由は必ずしも明らかではないが、以下のように推測される。【０００５】
本体に一体的に成形されたリブを備える樹脂成形品は一般に、リブに相当する形状の溝が内壁に設けられた金型に原料となる樹脂を充填することによって作製される。樹脂は、金型に設けられた注入口（ゲート）から供給され、所定の方向に沿って金型内を流動する。このとき、リブに相当する溝が金型の内壁に設けられていると、金型の溝の上を流動する樹脂は溝の内部を埋めるような挙動を示す。その結果、金型の内部では、溝の上を流動する樹脂と、溝の周囲を流動する樹脂との間で流動速度に差が生じる。この流動速度の差に起因して、樹脂成形品の表面に樹脂の流動跡（フローマーク）が発現し、外観に影響を及ぼすと考えられる。【０００６】
本発明者らの検討の結果、樹脂成形品の表面に生じるフローマークの発現の程度は、樹脂成形品の本体と一体的に設けられたリブの方向と、樹脂成形品を作製する際の樹脂の流動方向とがなす角度と関係していることがわかった。【０００７】
すなわち、リブの方向が金型内に供給された樹脂の流動方向に沿っている（リブの方向と樹脂の流動方向とがなす角度が小さい）場合は、リブの方向が金型内に供給された樹脂の流動方向と交わっている（リブの方向と樹脂の流動方向とがなす角度が大きい）場合に比べ、樹脂成形品の表面に生じるフローマークの発現の程度が大きく、外観に与える影響が大きいことがわかった。【０００８】
上記事情を考慮すると、樹脂成形品の外観を良好に維持する観点からは、本体に設けられたすべてのリブを樹脂の流動方向と交わる方向に配置することが有効と考えられる。しかしながら、すべてのリブを樹脂の流動方向と交わる方向に配置すると、リブ自体又は樹脂成形品全体の強度が充分に確保されないおそれがある。従って、必要な強度を確保する観点からは、樹脂成形品に設けられるリブの少なくとも一部を樹脂の流動方向に沿った方向に配置することが望ましい。【０００９】
本発明者らは上記事情に鑑み、必要な強度を確保しながら良好な外観が維持される樹脂成形品及びその製造方法を提供することを課題とする。
【課題を解決するための手段】
【００１０】
課題を解決するための具体的手段には、以下の態様が含まれる。
＜１＞本体と、前記本体と一体的に成形されたリブと、を備え、前記リブは、前記本体の樹脂の流動方向に沿った方向に設けられたリブＡと、前記流動方向にみて前記リブＡの上流側に、前記流動方向と交わる方向に設けられたリブＢと、を含む、樹脂成形品。
＜２＞前記リブＡが前記リブＢと接しているか、前記リブＡと前記リブＢとの距離が３０ｍｍ以下である、＜１＞に記載の樹脂成形品。
＜３＞前記リブＡの幅が０．５ｍｍ〜２ｍｍである、＜１＞又は＜２＞に記載の樹脂成形品。
＜４＞少なくとも一部が発泡した樹脂で形成されている、＜１＞〜＜３＞のいずれか１項に記載の樹脂成形品。
＜５＞自動車の内外装部品である、＜１＞〜＜４＞のいずれか１項に記載の樹脂成形品。
＜６＞内壁に溝が設けられた金型に樹脂を供給する工程を備え、前記溝は、前記金型に供給される樹脂の流動方向に沿った方向に設けられた溝Ａと、前記流動方向にみて前記溝Ａの上流側に、前記流動方向と交わる方向に設けられた溝Ｂと、を含む、樹脂成形品の製造方法。
＜７＞前記溝Ａが前記溝Ｂと接しているか、前記溝Ａと前記溝Ｂとの距離が３０ｍｍ以下である、＜６＞に記載の樹脂成形品の製造方法。
＜８＞前記溝Ａの幅が０．５ｍｍ〜２ｍｍである、＜６＞又は＜７＞に記載の樹脂成形品の製造方法。
＜９＞射出成形法により行われる、＜６＞〜＜８＞のいずれか１項に記載の樹脂成形品の製造方法。
＜１０＞前記樹脂成形品は自動車の内外装部品である、＜６＞〜＜９＞のいずれか１項に記載の樹脂成形品の製造方法。
【発明の効果】
【００１１】
本発明によれば、必要な強度を確保しながら良好な外観が維持される樹脂成形品及びその製造方法が提供される。
【図面の簡単な説明】
【００１２】
【図１】本開示の樹脂成形品の一例を模式的に示す全体図である。
【図２Ａ】図１に示す樹脂成形品におけるクリップ座の平面図である。
【図２Ｂ】図２Ａに示すクリップ座のａ−ａ線における断面図である。
【図２Ｃ】図２Ａに示すクリップ座のｂ−ｂ線における断面図である。
【図２Ｄ】図２Ａに示すクリップ座の斜視図である。
【図３Ａ】従来のクリップ座の平面図である。
【図３Ｂ】図３Ａに示すクリップ座のａ−ａ線における断面図である。
【図３Ｃ】図３Ａに示すクリップ座のｂ−ｂ線における断面図である。
【発明を実施するための形態】
【００１３】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
本開示において「工程」との語には、他の工程から独立した工程に加え、他の工程と明確に区別できない場合であってもその工程の目的が達成されれば、当該工程も含まれる。
本開示において「〜」を用いて示された数値範囲には、「〜」の前後に記載される数値がそれぞれ最小値及び最大値として含まれる。
本開示に段階的に記載されている数値範囲において、一つの数値範囲で記載された上限値又は下限値は、他の段階的な記載の数値範囲の上限値又は下限値に置き換えてもよい。また、本開示に記載されている数値範囲において、その数値範囲の上限値又は下限値は、実施例に示されている値に置き換えてもよい。
【００１４】
＜樹脂成形品＞
本開示の樹脂成形品は、本体と、前記本体と一体的に成形されたリブと、を備え、前記リブは、前記本体の樹脂の流動方向に沿った方向に設けられたリブＡと、前記流動方向にみて前記リブＡの上流側に、前記流動方向と交わる方向に設けられたリブＢと、を含む、樹脂成形品である。
【００１５】
図１は、本開示の樹脂成形品の一例を模式的に示す全体図であり、樹脂成形品のリブが設けられた側の面を観察したときの図である。図１に示す樹脂成形品１００は、本体１０１と、本体１０１と一体的に成形されたリブを含み、車体に取り付けるための部品であるクリップ座１０２とを備えている。
図１に示す樹脂成形品は、自動車の外装部品であるアーチモールの形状を有しているが、本開示の樹脂成形品はこれに制限されない。また、図１に示す樹脂成形品１００では、リブがクリップ座を構成しているが、本開示のリブはこれに制限されない。
【００１６】
図２Ａは、樹脂成形品１００におけるクリップ座１０２の平面図である。図２Ａに示すクリップ座１０２は、クリップ座本体１０３と、クリップ座本体１０３の側面に配置されて本体１０１とクリップ座本体１０３とを連結するリブ１〜３とを備えている。図２Ｂは図２Ａのａ−ａ線におけるクリップ座１０２と本体１０１の断面図であり、図２Ｃは図２Ａのｂ−ｂ線におけるクリップ座１０２と本体１０１の断面図であり、図２Ｄは図２Ａに示すクリップ座の斜視図である。
【００１７】
図２Ａに示すように、クリップ座１０２では、樹脂の流動方向（ブロック矢印で示す）に沿った方向に設けられたリブ３の一部（リブＡに相当）の上流側に、樹脂の流動方向と交わる方向に設けられたリブ２（リブＢに相当）が存在する。
【００１８】
図２Ａに示す樹脂成形品は、クリップ座１０２が設けられた側と逆側から観察したときに、クリップ座１０２に対応する位置にフローマークが目立たず、良好な外見が維持される。その理由は必ずしも明らかではないが、以下のように推測される。
【００１９】
図３Ａは、従来のクリップ座２０２の平面図である。図３Ａに示すクリップ座２０２では、クリップ座本体２０３の側面がリブ４としての役割を果たし、本体２０１とクリップ座本体２０３とを連結している。を備えている。図３Ｂは図３Ａのａ−ａ線におけるクリップ座２０２と本体２０１の断面図であり、図３Ｃは図３Ａのｂ−ｂ線におけるクリップ座２０２と本体２０１の断面図である。
【００２０】
図３Ａに示すように、従来のクリップ座２０２では、樹脂の流動方向（ブロック矢印で示す）に沿った方向に設けられたリブ４（リブＡに相当）の上流側に、樹脂の流動方向と交わる方向に設けられたリブが存在しない。この場合、金型内を流動する樹脂の状態を観察すると、流動する樹脂の先端（点線Ｘで示す）においてリブ４に相当する部分に凹みが生じていることからわかるように、樹脂の流動速度が周囲よりも遅くなる。その結果、樹脂の流動速度の差に起因したフローマーク（実線Ｙで示す）がリブ４の下流側に生じると考えられる。
【００２１】
これに対し、図２Ａに示すクリップ座１０２を備える樹脂成形品は、金型内を流動する樹脂の状態を観察すると、流動する樹脂の先端において図３Ａに示すような凹みが生じず、樹脂の流動速度が一定に維持される。その結果、図３Ａに示すようなフローマークがリブ３の下流側に生じにくく、外観が良好に維持されると考えられる。
【００２２】
本開示の樹脂成形品において「樹脂の流動方向」は、樹脂成形品の作製に用いた樹脂が金型内を流動する方向を意味する。樹脂成形品における樹脂の流動方向は、例えば、樹脂成形品に生じた金型のゲート跡の位置によって確認することができる。あるいは、樹脂成形品の表面又は断面の状態を観察することによって確認することができる。
【００２３】
本開示において「樹脂の流動方向」は、個々のリブに相当する溝の上を通過するときの樹脂の流動方向を意味し、リブ間で異なっていてもよい。したがって、樹脂成形品における樹脂の流動方向は、一方向のみでも複数方向の組み合わせであってもよい。
【００２４】
本開示の樹脂成形品において「樹脂の流動方向に沿った方向に設けられたリブＡ」は、樹脂の流動方向となす角度が０°以上４０°未満の方向に沿って設けられたリブを意味し、「流動方向と交わる方向に設けられたリブＢ」は、樹脂の流動方向となす角度が６０°〜９０°の方向に沿って設けられたリブを意味する。
【００２５】
リブＡが設けられた方向と樹脂の流動方向とがなす角度は０°〜２０°であることが好ましく、０°〜１０°であることがより好ましい。
リブＢが設けられた方向と樹脂の流動方向とがなす角度は７５°〜９０°であることが好ましく、８０°〜９０°であることがより好ましい。
【００２６】
本開示において、リブＡ及びリブＢ（以下、あわせてリブともいう）が設けられた方向は、リブの底部（樹脂成形品の本体からリブが立ち上がっている部分）を基準として判断する。例えば、リブの底部の形状が長方形又はそれに準じる形状である場合は、当該形状の長辺に沿った方向をリブが設けられた方向とする。リブの底部の形状が長方形でない場合は、底部の最大径に沿った方向をリブが設けられた方向とする。
【００２７】
リブの底部の形状は、全体が樹脂の流動方向に沿った方向又は樹脂の流動方向に交わる方向を向いているＩ字型の形状であっても、Ｉ字型以外の形状であってもよい。Ｉ字型以外の形状としては、異なる方向を向いているＩ字型の組み合わせ（Ｌ字型、十字型等）、Ｉ字型の形状とＩ字型以外の形状の組み合わせ（Ｕ字型等）などが挙げられる。リブの底部の形状がＩ字型と、Ｉ字型以外の形状の組み合わせである場合は、Ｉ字型の部分が向いている方向をリブが設けられている方向とする。この場合、Ｉ字型の部分の長さをリブの長さとし、Ｉ字型の部分の幅をリブの幅とする。
【００２８】
樹脂成形品において、リブＡとリブＢとは接していても、離れて位置していてもよい。フローマークの発現を抑制する観点からは、リブＡとリブＢとは接しているか、リブＡとリブＢとの距離が３０ｍｍ以下であることが好ましく、リブＡとリブＢとは接しているか、リブＡとリブＢとの距離が１０ｍｍ以下であることがより好ましい。本開示においてリブＡとリブＢとの距離とは、リブＡと、リブＡに最も近いリブＢとの距離を意味する。具体的には、リブＡの底部の輪郭と、リブＡに最も近いリブＢの底部の輪郭とを結ぶ線分のうち最も短いものの長さを意味する。
【００２９】
樹脂成形品に設けられるリブＡとリブＢの数は、特に制限されない。また、１つのリブＡに対応するリブＢの数は１つであっても複数であってもよく、１つのリブＢに対応するリブＡの数は１つであっても複数であってもよい。
【００３０】
フローマークの発現を抑制する観点からは、リブＡの幅は狭いほど好ましい。例えば、リブＡの幅は２ｍｍ以下であることが好ましく、１．５ｍｍ以下であることがより好ましく、１ｍｍ以下であることがさらに好ましい。一方、強度を確保する観点からは、リブＡの幅は広いほど好ましい。例えば、リブＡの幅は０．５ｍｍ以上であることが好ましい。
【００３１】
フローマークの発現を抑制する観点からは、リブＡの長さは短いほど好ましい。例えば、リブＡの長さは１００ｍｍ以下であることが好ましく、７０ｍｍ以下であることがより好ましく、５０ｍｍ以下であることがさらに好ましい。一方、強度を確保する観点からは、リブＡの長さは長いほど好ましい。例えば、リブＡの長さは２ｍｍ以上であることが好ましく、５ｍｍ以上であることがより好ましい。
【００３２】
フローマークの発現を抑制する観点からは、リブＡの高さは低いほど好ましい。例えば、リブＡの高さは２０ｍｍ以下であることが好ましく、１５ｍｍ以下であることがより好ましい。一方、強度を確保する観点からは、リブＡの高さは高いほど好ましい。例えば、リブＡの高さは１ｍｍ以上であることが好ましく、２ｍｍ以上であることがより好ましく、５ｍｍ以上であることがさらに好ましい。
【００３３】
樹脂成形品において、リブＢは樹脂の流動方向と交わる方向に設けられており、リブＢ自体に起因するフローマークは発現しにくいため、その形状は特に制限されない。例えば、リブＢの長さは、５ｍｍ〜１００ｍｍの範囲内であってもよい。また、リブＢの幅は０．５ｍｍ〜５ｍｍの範囲内であってもよい。
【００３４】
樹脂成形品において、リブの設けられる位置は特に制限されない。例えば、車体等への取り付けを目的とする場合は、車体等に取り付けられる場所に設けられる。樹脂成形品の補強を目的とする場合は、補強が必要な場所に設けられる。
【００３５】
樹脂成形品の本体の厚み（厚みが一定でない場合は厚みの最小値）は特に制限されず、樹脂成形品の形状、用途等に応じて選択できる。フローマークの発現を抑制し、かつ強度を確保する観点からは、樹脂成形品の本体は厚いほど好ましい。例えば、本体の厚み（特に、リブが設けられる面の厚み）は１ｍｍ以上であることが好ましく、２ｍｍ以上であることがより好ましい。一方、軽量化の観点からは、樹脂成形品の本体は薄いほど好ましい。例えば、本体の厚みは４ｍｍ以下であることが好ましく、３ｍｍ以下であることがより好ましく、２．５ｍｍ以下であることがさらに好ましい。
【００３６】
樹脂成形品の大きさは、特に制限されない。強度を維持しつつ薄型化を実現し、かつ外見が良好に維持されるという効果を充分に発揮する観点からは、例えば、主面（面積が最大となる面）の面積が１８０ｃｍ２以上であってもよい。
【００３７】
樹脂成形品では、設けられるすべてのリブが上述したリブＡとリブＢの条件を満たすものであってもよく、一部のリブが上述したリブＡとリブＢの条件を満たすものであってもよい。例えば、樹脂成形品の外観が重視される部分に設けられるリブが上述したリブＡとリブＢの条件を満たすものであってもよい。
【００３８】
樹脂成形品は、少なくとも一部が発泡した樹脂で形成されていてもよい。樹脂成形品の少なくとも一部が発泡した樹脂で形成されることで、樹脂成形品が発泡していない樹脂で形成されている場合に比べ、同じ厚さでも樹脂成形品を軽量化することができる。
【００３９】
樹脂成形品の少なくとも一部が発泡した樹脂で形成されている場合は、例えば、樹脂成形品の表面に近い部分が発泡していない樹脂（スキン層）で形成され、内部が発泡した樹脂で形成されていてもよい。
【００４０】
樹脂成形品の少なくとも一部が発泡した樹脂で形成されている場合、その製造方法は特に制限されない。例えば、可動側金型と、固定側金型とからなる一対の金型の間の空隙（キャビティ）に発泡剤を含む樹脂材料を充填した後に、可動側金型を固定側金型から離れる方向に移動（コアバック）させて樹脂材料を充填した空隙の容積を増大させることで樹脂材料を発泡させ、この状態で冷却することにより、発泡した樹脂の成形体である樹脂成形品を製造することができる（射出発泡成形）。この際、所定の位置にリブの形状に相当する溝を金型に設けることで、樹脂材料の本体の表面にリブを一体的に成形することができる。また、可動側金型の移動距離を調節することで、所望の厚さの樹脂成形品を製造することができる。
【００４１】
樹脂成形品の製造に用いる樹脂は、特に制限されない。例えば、射出成形に一般的に使用される熱可塑性樹脂から選択できる。具体的には、ポリエチレン系樹脂、ポリプロピレン系樹脂、複合ポリプロピレン系樹脂、ポリスチレン系樹脂、ポリエチレンテレフタレート系樹脂、ポリビニルアルコール系樹脂、塩化ビニル系樹脂、アイオノマー系樹脂、ポリアミド系樹脂、アクリロニトリル・ブタジエン・スチレン共重合樹脂及びポリカーボネート系樹脂が挙げられる。この中でも、ポリプロピレン系樹脂、複合ポリプロピレン系樹脂及びアクリロニトリル・ブタジエン・スチレン共重合樹脂からなる群より選択される少なくとも１種が好ましい。樹脂成形品の製造に用いる樹脂は、１種のみであっても２種以上であってもよい。
【００４２】
樹脂成形品の製造に発泡剤を用いる場合、発泡剤としては、アゾジカルボンアミド等の有機発泡剤、炭酸水素ナトリウム（別名、重炭酸ナトリウム、重曹）等の無機発泡剤などが挙げられる。現在、自動車用内装部品の発泡成形では、発泡剤として無機系の炭酸水素ナトリウムが主に用いられているが、塗膜性能（耐温水性等）の向上の観点からは、有機発泡剤が好ましい。
【００４３】
有機発泡剤としては、アゾジカルボンアミド（ＡＤＣＡ）、Ｎ，Ｎ−ジニトロソペンタメチレンテトラミン（ＤＰＴ）、４，４−オキシビスベンゼンスルホニルヒドラジド（ＯＢＳＨ）、ヒドラゾジカルボンアミド（ＨＤＣＡ）等が挙げられ、アゾジカルボンアミド（ＡＤＣＡ）が好ましい。
【００４４】
本開示の樹脂成形品は、種々の用途に用いることができる。特に、樹脂成形品の外観が重視される用途、例えば自動車の内外装部品に好適に用いることができる。自動車の内外装部品としては、アーチモール、サイドモール、ロッカーモール、バンパー等が挙げられる。
【００４５】
＜樹脂成形品の製造方法＞
本開示の樹脂成形品の製造方法は、内壁に溝が設けられた金型に樹脂を供給する工程を備え、前記溝は、前記金型に供給される樹脂の流動方向に沿った方向に設けられた溝Ａと、前記流動方向にみて前記溝Ａの上流側に、前記流動方向と交わる方向に設けられた溝Ｂと、を含む、樹脂成形品の製造方法である。
【００４６】
上記方法により製造される樹脂成形品は、本体と一体的に成形され、かつ金型の内壁に設けられた溝の形状に対応する形状のリブを備える。すなわちこの樹脂成形品が有するリブは、上述した本開示の樹脂成形品におけるリブＡとリブＢの条件を満たす。このため、上記方法により製造される樹脂成形品は、リブが設けられた面と逆の面におけるフローマークの発現が抑制され、良好な外観が維持される。
【００４７】
上記方法により製造される樹脂成形品の詳細及び好ましい態様としては、必要に応じて「リブ」を「溝」と読み替えたうえで、上述した樹脂成形品及びリブの詳細及び好ましい態様を参照することができる。
【００４８】
上記方法を実施する方法は、特に制限されない。例えば、樹脂成形品の製造方法として一般的な射出成形法であってもよい。また、上述したような少なくとも一部が発泡した樹脂となるような製造方法であってもよい。
【実施例】
【００４９】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。【００５０】
ポリプロピレン系樹脂１００質量部と、発泡剤としてアゾジカルボンアミド（ＡＤＣＡ）２質量部を混合して作製した樹脂材料を用いて、射出発泡成形により樹脂成形品を作製した。金型としては、内壁に図２Ａに示すクリップ座１０２と、図３Ａに示すクリップ座２０２に相当する形状の溝が設けられているものを使用した。【００５１】
上記金型と樹脂材料を用いて、樹脂成形品を作製した。この際、溝の上を通過するときの樹脂材料の流動方向が図２Ａ及び図３Ａに示す矢印の方向になるように、金型に設けられたゲートから樹脂材料を供給した。成形条件は、金型温度を５０℃、シリンダ温度を２２０℃、冷却時間を１５秒、射出時の樹脂材料温度を２２０℃とした。【００５２】
作製した樹脂成形品の本体のクリップ座が設けられた面の厚みは、３ｍｍとした。また、クリップ座１０２におけるリブ１の幅を０．５ｍｍとし、リブ２の樹脂の流動方向に沿った部分の幅を０．９ｍｍとし、リブ２の樹脂の流動方向に交わる部分の幅を０．６ｍｍとし、リブ３の幅を０．９ｍｍとし、クリップ座２０２におけるリブ４の幅を０．８ｍｍとした。【００５３】
作製した樹脂成形品のクリップ座１０２、２０２が設けられた面と逆の面を観察したところ、クリップ座１０２が設けられた部分にはフローマークが生じていなかったのに対し、クリップ座２０２が設けられた部分にはフローマークが生じていた。
【００５４】
本明細書に記載された全ての文献、特許出願、および技術規格は、個々の文献、特許出願、および技術規格が参照により取り込まれることが具体的かつ個々に記された場合と同程度に、本明細書中に援用されて取り込まれる。
【符号の説明】
【００５５】
１００…樹脂成形品
１０１、２０１…本体
１０２、２０２…クリップ座
１０３、２０３…クリップ座本体
１、２、３、４…リブ
Ｘ…樹脂の先端
Ｙ…フローマーク
【図１】
0006973648.tif 000002
【図２Ａ】
0006973648.tif 000003
【図２Ｂ】
0006973648.tif 000004
【図２Ｃ】
0006973648.tif 000005
【図２Ｄ】
0006973648.tif 000006
【図３Ａ】
0006973648.tif 000007
【図３Ｂ】
0006973648.tif 000008
【図３Ｃ】
0006973648.tif 000009